(57)【要約】【課題】消火栓装置の筐体内に設けたとしても、その開閉が容易にできる消防用給水栓及び消火栓弁を提供する。【解決手段】消防用給水栓３又は消火栓弁２３を、取水口１６ａ，２４と、取水口１６ａ，２４から消防用給水栓３又は消火栓弁２３内に供給された水を給水するための給水口１７，２５と、取水口１６ａ、２４と給水口１７，２５との間に設けられ、取水口１６ａ，２４から給水口１７．２５へと至る該水の流路を開閉可能に設けられた弁部１９，２６と、を備えるものとすると共に弁部１９，２６を、該流路を開閉するためのハンドル部２１，２２を有するものとし、ハンドル部２１，２２を、ラチェット部２１ｂ，２２ａを介して弁部１９，２６に取付ける。【選択図】図２
2019126464.tif 000002
【特許請求の範囲】
【請求項１】
消防用給水栓であって、
取水口と、
該取水口を介して該給水栓内に供給された水を給水するための給水口と、
該取水口と該給水口との間に設けられ、該取水口から該給水口へと至る該水の流路を開閉可能に設けられた弁部と、
該弁部を開閉するためのハンドル部と、を備え、
該ハンドル部は、ラチェット部を介して該弁部に取付けられていることを特徴とする消防用給水栓。
【請求項２】
消火栓弁であって、
取水口と、
該取水口を介して該消火栓弁内に供給された水を給水するための給水口と、
該取水口と該給水口との間に設けられ、該取水口から該給水口へと至る該水の流路を開閉可能に設けられた弁部と、
該弁部を開閉するためのハンドル部と、を備え、
該ハンドル部は、ラチェット部を介して該弁部に取付けられていることを特徴とする消火栓弁。
【請求項３】
前記ハンドル部は、前記弁部に着脱可能に取り付けられており、
該ハンドル部を裏返すことで、該弁部の回動方向を変更できることを特徴とする請求項１に記載の消防用給水栓又は請求項２に記載の消火栓弁。
【請求項４】
前記ハンドル部は、第１の面とその反対側に位置する第２の面とを有しており、
少なくとも該第１の面の一部と該第２の面の一部とが異なる色となっていることを特徴とする請求項３に記載の消防用給水栓又は消火栓弁。
【請求項５】
前記ハンドル部は、切換部を有しており、
該切換部を操作することにより、前記弁部の回動方向を変更できることを特徴とする請求項１に記載の消防用給水栓又は請求項２に記載の消火栓弁。
【請求項６】
筐体と、
請求項１若しくは請求項１を引用する請求項３乃至５の何れかに記載の消防用給水栓又は請求項２若しくは請求項２を引用する請求項３乃至５の何れかに記載の消火栓弁と、を少なくとも備え、
該消防用給水栓又は該消火栓弁は、該筐体内に設けられていることを特徴とする消火栓装置。
【発明の詳細な説明】
【技術分野】
【０００１】
本発明は、消防用給水栓及び消火栓弁並びにそれを備える消火栓装置に関する。
【背景技術】
【０００２】
従来、消火栓装置がある。消火栓装置には、その筐体内に、先端側にノズルが接続された消火用ホース及び該消火用ホースと消火用水源との間に設けられた消火栓弁が収納されており、火災が発した際に、消火用ホースを外部へと引き出すと共に消火栓弁のハンドル部を回すことで該消火栓弁を開放し、消火用水を該消火用ホースへと供給することで、消火活動ができる様になっている。
【０００３】
通常、消火栓装置は、消防隊が火災現場へと到達する前に、初期消火をすることを目的として設置されるものであるが、中には、消防隊が所有する消防用ホースが接続可能に設けられた消防用給水栓（以下、給水栓という）が筐体内に設置されたものもある（例えば、特許文献１を参照）。この様な給水栓には、消火栓と比較して配管径が大きいため、消火栓弁と比較してより大きなハンドル部を有しており、該ハンドル部を回し、給水栓を開放することで、消防用ホースへと消火用水を供給可能となっている。
【先行技術文献】
【特許文献】
【０００４】
【特許文献１】特開２０１５−１５４８８８号公報
【発明の概要】
【発明が解決しようとする課題】
【０００５】
しかしながら、この様な消火栓弁や給水栓のハンドル部は、通常、略円形をなしており、消火栓弁や給水栓の開閉を行うにあたり、ハンドルを一回転以上は回す必要があるものとなっており、消火栓弁や給水栓の開閉を行おうとする者は、ハンドル部を回す際に、腕を消火栓装置の奥の方まで延ばす必要があった。筐体内のスペースは、然程余裕のあるものとはなっていないため、ハンドル部は、必ずしも回し易いものとはいえず、ハンドル部を有する消火栓弁や給水栓が筐体内に設けられた従来の消火栓装置においては、消火栓弁や給水栓の開閉に改善の余地のあるものであった。
【０００６】
そこで、本発明は、消火栓装置の筐体内に設けたとしても、その開閉が容易にできる給水栓及び消火栓弁を提供することを目的とする。
【課題を解決するための手段】
【０００７】
本発明は、消防用給水栓であって、取水口と、該取水口を介して該給水栓内に供給された水を給水するための給水口と、該取水口と該給水口との間に設けられ、該取水口から該給水口へと至る該水の流路を開閉可能に設けられた弁部と、該弁部を開閉するためのハンドル部と、を備え、該ハンドル部は、ラチェット部を介して該弁部に取付けられていることを特徴とする消防用給水栓である。
【０００８】
又、本発明は、消火栓弁であって、取水口と、該取水口を介して該消火栓弁内に供給された水を給水するための給水口と、該取水口と該給水口との間に設けられ、該取水口から該給水口へと至る該水の流路を開閉可能に設けられた弁部と、該弁部を開閉するためのハンドル部と、を備え、該ハンドル部は、ラチェット部を介して該弁部に取付けられていることを特徴とする消火栓弁である。
【０００９】
更に、本発明は、筐体と、前記消防用給水栓又は前記消火栓弁を少なくとも備え、該消防用給水栓又は該消火栓弁が該筐体内に設けられていることを特徴とする消火栓装置である。
【００１０】
尚、本発明は、前記ハンドル部を、前記弁部に着脱可能に取り付けられるものとし、該ハンドル部を裏返すことで、該弁部の回動方向を変更できる様にすることが可能である。又、本発明は、前記ハンドル部を、第１の面とその反対側に位置する第２の面とを有するものとし、少なくとも該第１の面の一部と該第２の面の一部とが異なる色となっているものとすることが可能である。又、本発明は、前記ハンドル部を、切換部を有しているものとし、該切換部を操作することにより、前記弁部の回動方向を変更できる様にすることも可能である。
【００１１】
本発明において、「第１の」、「第２の」という表現を使用しているが、これは、各構成の区別を明確にするために用いているに過ぎないものであり、その数字や順番には、特に意味のないものである。
【発明の効果】
【００１２】
本発明は、ハンドル部がラチェット部を介して弁部に取付けられるものとしたため、消火栓弁や給水栓の手前側の空間でハンドル部を操作することで、給水栓又は消火栓弁の開閉が可能であるため、給水栓や消火栓弁が消火栓装置の筐体内に設置されたとしても、給水栓や消火栓弁の開閉を容易に行うことが可能である。
【図面の簡単な説明】
【００１３】
【図１】本発明の第１実施形態を示す消火栓装置の図であり、（ａ）が正面図を、（ｂ）が、平面図を、（ｃ）が右側面図を、表す図である。
【図２】本発明の第１実施形態を示す給水栓の平面拡大図であり、（ａ）が給水栓の開栓作業時の様子を、（ｂ）が給水栓の閉栓作業時の様子を示す図である。
【図３】本発明の第２実施形態を示す消火栓弁の正面拡大図である。
【発明を実施するための形態】
【００１４】
本発明の第１実施形態を、消防用給水栓３（以下、給水栓３ともいう）が筐体２内に設けられた消火栓装置１を例にして、図１及び図２に基づき説明する。消火栓装置１は、筐体２及び筐体２内に収容された給水栓３と、を備えており、例えば、トンネルの監査路に設置される。
【００１５】
筐体２は、背板４ａを有する箱体４及び箱体４の手前側に設けられた前面パネル５を備えている。前面パネル５には、消火器扉６、消火栓扉７及び給水栓扉８が設けられている。消火器扉６の内方に位置する筐体２内には、消火器（図示せず）が格納されている。又、前面パネル５には、表示灯９、発信機１０が更に設けられている。本実施形態において、前面パネル５及び背板４ａは、筐体２が可能な限り薄型となる様に給水栓３との間の間隔がなるべく狭くなる様に設置されている。
【００１６】
消火栓扉７の内方に位置する筐体２内には、消火用ホース１１が、常時は、内巻又は外巻に巻かれた状態で収容されている（尚、図示は省略する）。消火栓扉７は、筐体２外へ消火用ホース１１を引き出すための前面パネル５の開口部５ａを常時は閉扉しておくために設けられており、消火作業をする際に図１中に一点鎖線で示した位置まで回動する様になっている。又、消火栓扉７の裏面には、ノズルホルダ１２、操作レバー１３及び消火栓扉７の閉扉状態を保持するラッチ部１４が設けられている。
【００１７】
消火用ホース１１は、先端側にノズル１１ａが取付けられていると共に基端側が消火栓弁１５に直接的又は間接的に接続されている。操作レバー１３には、プーリ（図示せず）の一方が設けられており、該プーリは、消火栓弁１５に設けられた他方のプーリ（図示せず）とワイヤを介して連動する様になっている。それにより、消火栓装置１は、操作レバー１３を操作することで、消火栓弁１５を開閉可能とし、消火用ホース１１に消火用水を供給可能としている。又、ノズルホルダ１２には、ノズル１１ａが常時は着脱可能に取り付けられている。
【００１８】
給水栓３は、給水栓扉８の内方に位置する筐体２内に設置されている。給水栓３の基本構造は、公知の構造（例えば、特開２００１−１６１８４９号公報を参照）が採用可能であるが、例えば、消火用水源からの配管（図示せず）に接続された消火用水供給配管１６（以下、供給配管１６ともいう）と、消防隊が所有する消防用ホース（図示せず）が接続可能に設けられた給水口１７を有する本体部１８と、弁部１９と、を有している。供給配管１６には、前記消火用水源からの配管から給水栓３内に消火用水を供給するための取水口１６ａが設けられている。又、本実施形態においては、供給配管１６には、分岐管２０が接続されており、分岐管２０は、消火栓弁１５に接続されている。
【００１９】
弁部１９は、供給配管１６から給水口１７に至る消火用水の流路を常時は閉塞し、消火活動時に該流路を開放するため、即ち、該流路を開閉可能に設けられており、本体部１８に貫設された螺子穴に螺合された軸部１９ａが延在しており、軸部１９ａの一方の端には、該流路を閉塞可能に設けられた弁体（図示せず）を有している。又、軸部１９ａの他方の端には、軸部１９ａを回し、弁部１９を開閉するためのハンドル部２１が取付けられている。
【００２０】
ハンドル部２１は、把持部２１ａとラチェット部２１ｂとを有している。把持部２１ａは、給水栓３を開閉する際に、把持される部分であり、本実施形態においては、略棒状に設けられており、軸部１９ａより延在する方向の長さＬがその幅Ｗよりも長くなっていると共に幅Ｗが給水栓３の奥行Ｄよりも短くなる様に形成されている。
【００２１】
ラチェット部２１ｂには、その中央に軸部１９ａが貫装可能に設けられた穴部を有しており、ハンドル部２１は、面２１ｃ（便宜的に、以下、第１の面２１ｃという）を上にして、ラチェット部２１ｂを介して軸部１９ａに取付けられる様になっている。それによって、ハンドル部２１は、少なくとも軸部１９ａを開方向Ａ１へと回すことができる様になっている一方、軸部１９ａを開方向Ａ１とは逆の方向（閉方向Ａ２）側に回そうとすると空転する様になっている。
【００２２】
本実施形態においては、ハンドル部２１は、軸部１９ａから着脱可能に設けられており、裏返して、天地を逆にする、つまり、第１の面２１ｃとは反対側に位置する面２１ｄ（便宜的に、以下、第２の面２１ｄという）側を上にして軸部１９ａに取付けることで、閉方向Ａ２側に軸部１９ａを回すことができる一方、閉方向Ａ２とは逆方向（開方向Ａ１）側に回すと空転する様になっている。つまり、ハンドル部２１は、裏返すことで、ハンドル部２１の回動方向、即ち、弁部１９（軸部１９ａ）の回動方向を変更できる様になっていることとなる。
【００２３】
尚、ラチェット部２１ｂは、公知のラチェット機構を採用することが可能であり、例えば、図示しない歯車と歯止めを有しており、一方に回した際には、該歯車と該歯止めが噛み合う様になっていると共に他方に回した際には該歯車と該歯止めが噛み合わず、空転する様になっている。
【００２４】
又、ハンドル部２１は、少なくとも第１の面２１ｃの一部と第２の面２１ｄの一部とが異なる色となっており、どちらの面２１ｃ，２１ｄを上にして、ハンドル部２１を軸部１９ａに取付ければ、目的とする方向Ａ１，Ａ２へと軸部１９ａを回せるかが分かる様になっている。尚、第１の面２１ｃと第２の面２１ｄとを異なる色で着色してもよいが、第１の面２１ｃ及び第２の面２１ｄの一方を地色とし、他方を地色とは異なる色で着色することも可能である。又、着色方法については、塗料や鍍金等の公知の方法を用いることが可能である。
【００２５】
給水栓３を開ける際には、（１）先ず、給水栓扉８を開扉し、給水栓３の前面側を開放する。（２）給水口１７に消防用ホースを取付ける。（３）ハンドル部２１が、第１の面２１ｃ側を上にして、軸部１９ａに取付けられているかを確認し、必要であれば、第１の面２１ｃ側を上にして、軸部１９ａに取付けし直す。（４）ハンドル部２１を開方向Ａ１へと回す。（５）ある程度、例えば、図２（ａ）中に一点鎖線で示した位置まで、ハンドル部２１を開方向Ａ１へと回したら、一旦、ハンドル部２１を開方向Ａ１とは逆方向（閉方向Ａ２）へと回す。（６）上記（４）及び（５）の動作を繰り返し行うことで、前記流路を塞ぐ弁部１９が開弁されていくと共に該流路が開放され、消防用ホースに消火用水が供給される。
【００２６】
この際、給水栓３の手前側の空間Ｓは、迅速に給水栓３を開栓し、消火用水を消防用ホースへと供給する観点から、ハンドル部２１を30°以上、好ましくは、90°以上回動可能となる程度に確保されることが望ましい。尚、本実施形態においては、少なくとも105°回動可能となる様に空間Ｓは確保されている。
【００２７】
給水栓３を閉栓する際には、第２の面２１ｄを上にして、つまり、天地を逆にしてハンドル部２１を軸部１９ａへと取付け、上記（４）及び（５）とは逆に、例えば、図２（ｂ）中に一点鎖線で示した位置まで、ハンドル部２１を閉方向Ａ２に回す動作と、元の位置までハンドル部２１を閉方向Ａ２とは逆の方向（開方向Ａ１）へと回す動作を繰り返し行えばよい。
【００２８】
従って、給水栓３においては、給水栓３の手前側の空間Ｓを確保することができれば、容易に給水栓３の開閉を行うことが可能となっている。つまり、本実施形態の消火栓装置１においては、給水栓３の開閉を行う際に、その開閉を行おうとする者の腕を筐体２の奥の方まで延ばす必要がないため、給水栓３を筐体２内に設けたとしても、ハンドル部２１を容易に回すことができ、給水栓３の開閉が行い易いものとなっている。
【００２９】
又、本実施形態の様に、給水栓３の開閉にハンドル部２１を用いる副次的な効果として以下のことが挙げられる。消火栓装置は、設置スペース等の問題から、筐体の薄型化が求められている。消火栓装置の筐体が薄型となればなるほど、筐体内のスペースの奥行も狭いものとなるため、ハンドル部と筐体の背板との間隙がより狭いものとなる。従来の消火栓装置の様な略円形のハンドル部では、ハンドル部と背板との間にある程度の間隙がないと、ハンドルの操作する際に、背板が邪魔となって、給水栓の開閉に支障がでる可能性がある。
【００３０】
他方、背板が給水栓の開閉の邪魔とならない様に、ハンドル部と筐体の背板との間隔を広げるため、ハンドル部そのものを小さいものとすれば、ハンドル部を回すのに必要な力が大きなものとなってしまう。特に、ハンドル部の回し始めはより大きな力が必要となるため、やはり、ハンドル部の操作が困難なものとなり、特に、消火栓弁と比較してその配管径が大きい給水栓においては、より問題となる。
【００３１】
そのため、従来の消火栓装置においては、筐体の薄型化と給水栓の開閉の容易性を両立するのは困難であった。
【００３２】
消火栓装置１においては、給水栓３の手前側の空間Ｓを確保することができれば、容易に給水栓３の開閉を行うことが可能となっているため、筐体２を薄型化し、筐体２の背板４ａとハンドル部２１との間の間隙Ｇが狭いものとなったとしても、給水栓３を支障なく開閉することが可能であり、背板４ａが給水栓３の開閉（ハンドル部２１の操作）の邪魔となることを防止することが可能である。そのため、給水栓３を採用することで、筐体２の薄型化と給水栓３の開閉の容易性を両立することが可能となる。
【００３３】
又、ハンドル部２１は、その長さＬが長いほど、より小さな力で給水栓３を開閉することが可能となるが、ハンドル部２１は、その幅Ｗが給水栓３の奥行Ｄよりも短くなっているため、常時において、ハンドル部２１を、給水栓３と略平行となる様に取り付けておけば、ハンドル部２１の長さＬをある程度長くしても、ハンドル部２１が、給水栓３から前後方向にはみ出ない様にすることが可能である。そのため、筐体２を薄型化してもハンドル部２１の長さＬをある程度長くすることが可能であり、この点からも筐体２の薄型化と給水栓３の開閉の容易性を両立することが可能となる。
【００３４】
以上、本発明を上記実施形態に基づき説明したが、本発明は、上記実施形態に限定されるものではなく、発明の要旨を変更しない範囲で適宜変更可能である。
【００３５】
例えば、（ｉ）第１実施形態においては、消火栓扉７に設けられた操作レバー１３を操作することで開閉可能な消火栓弁１５を採用したが、本発明の第２実施形態（図３を参照）の様に、ハンドル部２２を回すことで開閉することができる消火栓弁２３を採用することも可能である。
【００３６】
消火栓弁２３は、配管径や給水容量等の規模的な差異はあるものの、基本的な構造は給水栓３と同様であり、消火栓弁２３内に消火用水を取り込むための取水口２４と、消火用ホース１１に接続される給水口２５とを有すると共に一方の端に弁体（図示せず）が設けられ、他方の端にハンドル部２２がラチェット部２２ａを介して取付け可能に設けられた軸部２６ａを有し、取水口２４から給水口２５へと至る流路を開閉するための弁部２６を有している。
【００３７】
この場合においても、消火栓弁２３の開閉を行う際に、その開閉を行おうとする者の腕を筐体２の奥の方まで延ばす必要がなくなるため、消火栓弁２３を筐体２内に設けたとしても、ハンドル部２２を容易に回すことができ、消火栓弁２３の開閉が行い易いものとなっている。尚、本実施形態においては、給水栓３は、必ずしも設けられている必要はなく、筐体２内に給水栓３を設けずに、消火栓弁２３のみを設けることも可能である。
【００３８】
（ii）上記実施形態においては、消火栓弁１５を、筐体２内に設けたが、消火栓弁１５を筐体２外に設けることも可能である。
【００３９】
（iii）上記実施形態においては、ハンドル部２１，２２を裏返すことで、軸部１９ａ，２６ａを回せる方向を変更できるものとしたが、ハンドル部２１，２２に、切換部（図示せず）、例えば、ボタン、を設け、該切換部を操作することで、ラチェット部２１ｂ，２２ａの回動方向を切り換え、ハンドル部２１，２２の回動方向、即ち、軸部１９ａ，２６ａを回せる方向Ａ１，Ａ２を変更できる様にしてもよい。
【００４０】
（iv）上記実施形態においては、軸部１９ａ，２６ａを鉛直方向へと延在するものとし、給水栓３又は消火栓弁２３の天面側にハンドル部２１，２２を設けたが、軸部１９ａ，２６ａを水平方向へと延在するものとし、給水栓３又は消火栓弁２３の側面側にハンドル部２１，２２を設けることも可能である。
【００４１】
（ｖ）上記実施形態において、ハンドル部２１，２２は、常時より軸部１９ａ，２６ａに取付けられているものとしたが、常時は、取り外しておいて、消火作業時に軸部１９ａ，２６ａに取付ける様にしてもよい。
【００４２】
（vi）上記実施形態においては、ハンドル部２１，２２の把持部を略棒状のものを採用したが、従来の略円形の把持部（図示せず）を採用することも可能である。
【００４３】
（vii）上記実施形態においては、軸部１９ａ，２６ａを鉛直方向へと延在するものとしたが、軸部１９ａ，２６ａとして、ユニバーサルジョイント（自在継手）を採用し、延在する方向を変えることができるものとすることも可能である。
【００４４】
（viii）上記実施形態においては、消火栓装置１の給水栓３又は消火栓弁２３に本発明を適用したが、本発明は、トンネルに設置される消火栓装置の給水栓又は消火栓弁以外にも、例えば、ビル等に設けられる屋内消火栓（図示せず）の給水栓や消火栓弁等の他の給水栓又は消火栓弁にも適用可能である。
【符号の説明】
【００４５】
１      消火栓装置          ２      筐体                ３      消防用給水栓
４      箱体                ４ａ    背板                ５      前面パネル
５ａ    開口部              ６      消火器扉            ７      消火栓扉
８      給水栓扉            ９      表示灯              １０    発信機
１１    消火用ホース        １１ａ  ノズル              １２    ノズルホルダ
１３    操作レバー          １４    ラッチ部            １５    消火栓弁
１６    消火用水供給配管    １６ａ  取水口              １７    給水口
１８    本体部              １９    弁部                １９ａ  軸部
２０    分岐管              ２１    ハンドル部          ２１ａ  把持部
２１ｂ  ラチェット部        ２１ｃ  第１の面            ２１ｄ  第２の面
２２    ハンドル部          ２２ａ  ラチェット部        ２３    消火栓弁
２４    取水口              ２５    給水口              ２６    弁部
２６ａ  軸部                Ａ１    開方向              Ａ２    閉方向
Ｄ      奥行                Ｇ      間隙                Ｌ      長さ
Ｓ      空間                Ｗ      幅
【図１】
2019126464.tif 000003
【図２】
2019126464.tif 000004
【図３】
2019126464.tif 000005